(57)【要約】【課題】断熱材の器体開口上方での覆い率、蓋内への充填率が高く電気貯湯容器の保温性を高められるものとする。【解決手段】樹脂製の蓋上部材２０１と、樹脂製の蓋下部材２０２と、この蓋下部材２０２の下側に設けられいる金属製の内蓋部材２０３と、蓋上部材２０１のほぼ中央に設けられる押圧部材２０４と、この押圧部材２０４の下に設けられて押圧部材２０４により押圧操作されて下向きに突出する給気口５０ａから空気を吹き出し電気貯湯容器の器体１内に給気し内容液を加圧して吐出させるベローズ５０とを備えた電気貯湯容器の蓋１３の断熱構造において、ベローズ５０側周まわりとベローズ５０下の給気口５０ａまわりまたは給気口５０ａおよびそれに続く給気通路５０ｂまわりとに断熱材２０５を設けたことにより、上記の目的を達成する。【選択図】図１
2007275165.tif 000002
【特許請求の範囲】
【請求項１】
蓋上面まわりを形成する樹脂製の蓋上部材と、蓋下面まわりを形成する樹脂製の蓋下部材と、この蓋下部材の下側に設けられている金属製の内蓋部材と、蓋上部材のほぼ中央に設けられる押圧部材と、この押圧部材の下に設けられて押圧部材により押圧操作されて下向きに突出する給気口から空気を吹き出し電気貯湯容器の器体内に給気し内容液を加圧して吐出させるベローズとを備えた電気貯湯容器の蓋の断熱構造において、
ベローズ側周まわりとベローズ下の給気口まわりまたは給気口およびそれに続く給気通路まわりとに断熱材を設けたことを特徴とする電気貯湯容器の蓋の断熱構造。
【請求項２】
ベローズ下の給気口まわりの断熱材は、ベローズ下面と蓋下部材との間に設けられ、給気口は蓋下部材から内蓋部材に至る給気通路を通じ器体内に給気し、器体内の蒸気は内蓋部材と蓋下部材との間に広がり蓋の器体後部へのヒンジ連結部側一部で蓋上部材まで立ち上がる蒸気通路を通じ蓋の上面へ放出するようにした請求項１に記載の電気貯湯容器の蓋の断熱構造。
【請求項３】
蒸気通路は、蓋下部材と内蓋部材との間で器体前部の側で器体内からの流入蒸気を受け入れて器体後部の立ち上がり部まで左右に振り分け案内する環状迂回通路を少なくとも有している請求項２に記載の電気貯湯容器の蓋の断熱構造。
【請求項４】
給気通路と蒸気通路とはベローズの押圧操作と押圧操作解除とに連動して器体内に切り換え通じる請求項２、３のいずれか１項に記載の電気貯湯容器の蓋の断熱構造。
【請求項５】
前記切り換えは、前記給気通路を弾性部材により形成して蓋下部材の開口に上方から嵌め合せて、着脱および内蓋部材側への伸縮ができるようにし、ベローズの押圧操作と押圧操作解除とに連動して上下動する弁杆の下端部にて、給気通路の下端部を内蓋部材の給気通路および蒸気通路の双方に通じた通気孔に対して接続、接続解除し、かつ、弁杆途中に設けた開閉弁にて前記接続、接続解除に連動して給気口を開閉することで行う請求項１〜３のいずれか１項に記載の電気貯湯容器の蓋の断熱構造。
【発明の詳細な説明】
【技術分野】
【０００１】
本発明は器体内で内容液を加熱して湯沸しや保温を行い、貯湯している内容液を器体の蓋に内蔵したベローズによって加圧し吐出させて使用できるようにする電気貯湯容器の蓋の断熱構造に関するものである。
【背景技術】
【０００２】
この種の電気貯湯容器およびその蓋は電気湯沸器や電気ポットなどとして既に広く知られている（例えば、特許文献１、２参照。）。これら電気貯湯容器の保温性能は内容液を所定の温度に保温する上で消費電力に大きく響く。そこで、内容液を加熱し保温する器体では断熱材を内蔵したり、特許文献２に記載のように真空二重容器を採用するなど断熱構造を持ったものとすることが古くから行われ、真空二重容器の採用によって保温性能は格段に高まっている。一方、蓋を通じた上方への熱の逃げは器体側の断熱構造によっては抑え切れず、特許文献２に記載のもののように器体に電動ポンプを装備しているかどうかにかかわらず蓋にベローズを内蔵することで、特許文献２が開示しているようにベローズは不使用中空気の流通がほとんどないことから一応断熱構造となるが、特許文献１、２に記載のものは蓋内に断熱材を設けて保温性能をさらに高めるようにしている。
【特許文献１】特許第２５０２６７１号公報
【特許文献２】特許第３６０３８１２号公報
【発明の開示】
【発明が解決しようとする課題】
【０００３】
しかし、特許文献１、２に記載のベローズは蓋の下面まわりを形成する樹脂製の蓋下部材に下端を溶着した構造であるのが原因となって、この蓋下部材とその下側に設ける金属製の内蓋部材との間に形成する蒸気放出用の蒸気通路まわりに断熱材を設けており、特許文献２に記載のものはベローズの側周まわりにまで断熱材が上方へ延びて蓋内への断熱材の充填率を高めているものの、特許文献１、２に記載のものでは器体の開口上方での断熱材の覆い率はまだ小さい。特許文献１に記載のものではベローズの側周まわりに断熱材がなく蓋内への断熱材の充填率は特許文献２に記載のものに比して小さい。
【０００４】
そこで、本発明者は断熱材の器体開口上方での覆い率、蓋内への充填率を高めるべく研究をし技術開発に携わるなか、蓋構造、ベローズ構造の変更を伴い断熱材の覆い率をさらに高めることを実現した。
【０００５】
本発明の目的は、上記のような実現結果から、断熱材の器体開口上方での覆い率、蓋内への充填率が高く電気貯湯容器の保温性を高められる電気貯湯容器の蓋の断熱構造を提供することにある。
【課題を解決するための手段】
【０００６】
上記の目的を達成するために、本発明の電気貯湯容器の蓋の断熱構造は、蓋上面まわりを形成する樹脂製の蓋上部材と、蓋下面まわりを形成する樹脂製の蓋下部材と、この蓋下部材の下側に設けられている金属製の内蓋部材と、蓋上部材のほぼ中央に設けられる押圧部材と、この押圧部材の下に設けられて押圧部材により押圧操作されて下向きに突出する給気口から空気を吹き出し電気貯湯容器の器体内に給気し内容液を加圧して吐出させるベローズとを備えた電気貯湯容器の蓋の断熱構造において、ベローズ側周まわりとベローズ下の給気口まわりまたは給気口およびそれに続く給気通路まわりとに断熱材を設けたことを特徴としている。
【０００７】
このような構成では、蓋に内蔵したベローズの側周まわりと、ベローズ下面の下向きに突出する給気口まわりまたは給気口およびそれに続く給気通路まわりとに断熱材が設けられて、断熱材の蓋が閉じる器体の開口上方での覆い率、および蓋内への充填率ともに特許文献１、２に記載のものよりも高くなり、それだけ器体の上端開口を蓋が閉じることによる上部への放熱に対する断熱効果が高められる。
【０００８】
ベローズ下の給気口まわりの断熱材は、ベローズ下面と蓋下部材との間に設けられ、給気口は蓋下部材から内蓋部材に至る給気通路を通じ器体内に給気し、器体内の蒸気は内蓋部材と蓋下部材との間に広がり蓋の器体後部へのヒンジ連結部側一部で蓋上部材まで立ち上がる蒸気通路を通じ蓋の上面へ放出するようにした、さらなる構成では、
ベローズ下の給気口まわりの断熱材が、ベローズ下面と蓋下部材との間に蓋下部材とその下の内蓋部材との間に形成される蒸気通路から独立し、蒸気通路に対しその立ち上がり部を避けるだけの影響しか受けないで設けられ、蒸気通路は蓋下部材下の断熱材に邪魔されない広いスペースを利用して、器体横転時に蒸気通路に流入する内容液が蒸気通路を通じ外部に流出する時間をかさ高にならずに十分に長くすることができる。
【０００９】
蒸気通路は、蓋下部材と内蓋部材との間で器体前部の側で器体内からの流入蒸気を受け入れて器体後部の立ち上がり部まで左右に振り分け案内する環状迂回通路を少なくとも有している、さらなる構成では、
蓋下部材と内蓋部材との間の広いスペースを利用して設けた蒸気通路が、器体前部の側で器体内からの流入蒸気を受け入れて器体後部の立ち上がり部まで左右に振り分け案内する１つの環状迂回通路を少なくとも設けるだけで、器体横転時に流入する内容液が蒸気通路を通じて外部に流出するまでの時間を十分に遅らせることができるし、その予のスペースを利用して同一平面上に配置した迂回通路や溜まり空間などと組み合わせることもできる。
【００１０】
給気通路と蒸気通路とはベローズの押圧操作と押圧操作解除とに連動して器体内に切り換え通じる、さらなる構成では、
給気通路、蒸気通路は異時に器体内に通じて機能することに伴い、ベローズの押圧操作と押圧操作解除とに連動して器体内に切り換え通じることで、ベローズの押圧操作による給気を蒸気通路に逃がさず内容液を加圧して吐出させ、ベローズの押圧操作時以外では器体内の蒸気を給気口側に入り込むようなことなく蒸気通路にのみ流入させて外部へ放出させられる。
【００１１】
前記切り換えは、前記給気通路を弾性部材により形成して蓋下部材の開口に上方から嵌め合せて、着脱および内蓋部材側への伸縮ができるようにし、ベローズの押圧操作と押圧操作解除とに連動して上下動する弁杆の下端部にて、給気通路の下端部を内蓋部材の給気通路および蒸気通路の双方に通じた通気孔に対して接続、接続解除し、かつ、弁杆途中に設けた開閉弁にて前記接続、接続解除に連動して給気口を開閉することで行う、さらなる構成では、
ベローズの押圧操作に連動する弁杆１つの動作で、ベローズの給気口に続く弾性部材よりなる給気通路を蓋下部材と内蓋部材の間で伸縮させて、内蓋部材の給気通路および蒸気通路に通じる通気孔に対し、接続と接続解除との切り換えを行い、同時に弁杆途中の開閉弁にて給気口の開閉切り換えを行うことで、特別な弁室や隔壁なしに前記必要な切換えが行える。
【００１２】
本発明のそれ以上の目的および特徴は、以下の詳細な説明で明らかになる。本発明の各特徴は、それ単独で、あるいは可能な限り種々な組合せで複合して用いることができる。
【発明の効果】
【００１３】
本発明の電気貯湯容器の蓋の断熱構造によれば、蓋に内蔵したベローズの側周まわりと、ベローズ下面の下向きに突出する給気口まわりまたは給気口およびそれに続く給気通路まわりとの断熱材により、断熱材の器体の開口上方覆い率、蓋内充填率ともに高く、貯湯を行う器体上部の断熱効果、保温性能を高められ、省資源、省エネ性に優れたものとなる。
【００１４】
ベローズ下の給気口まわりの断熱材が、蒸気通路から独立し蒸気通路の立ち上がり部を避けるだけの小さな覆い率損にて設けられ、蒸気通路は断熱材に邪魔されない広いスペースにて、器体横転時に蒸気通路に流入する内容液が蒸気通路を通じ外部に流出するのをかさ高にならずに十分に遅延させられるし、蓋を低く保てる。
【００１５】
蒸気通路が器体前部の側で器体内からの流入蒸気を受け入れて器体後部の立ち上がり部まで左右に振り分け案内する１つの環状迂回通路を少なくとも有して、器体横転時に流入する内容液が蒸気通路を通じて外部に流出するのを十分に遅延させられ、その予のスペースを利用した同一平面上の迂回通路や溜まり空間などと組み合わせてかさ低いまま遅延効果を高められる。
【００１６】
給気通路、蒸気通路はベローズの押圧操作と押圧操作解除とに連動して器体内に切り換え通じることで、他への給気漏れ、蒸気漏れなくそれぞれ確実に機能する。
【００１７】
ベローズの押圧操作に連動する弁杆１つの動作で、給気口に続く給気通路を内蓋部材の給気通路および蒸気通路に通じる通気孔に対し、接続と接続解除との切り換えを行い、同時に弁杆途中の開閉弁にて給気口の開閉切り換えを行うことで、特別な弁室や隔壁のない簡単かつかさ低い構造にて前記切換えが行える。
【発明を実施するための最良の形態】
【００１８】
以下、本発明に係る実施の形態について図１〜図７を参照しながら詳細に説明し、本発明の理解に供する。
【００１９】
本実施の形態は、家庭用の電気ポットの場合の一例であり、図１に示すように、蓋上面まわりを形成する樹脂製の蓋上部材２０１と、蓋下面まわりを形成する樹脂製の蓋下部材２０２と、この蓋下部材２０２の下側に設けられている金属製の内蓋部材２０３と、蓋上部材２０１のほぼ中央に設けられる押圧部材２０４と、この押圧部材２０４の下に設けられて押圧部材２０４により押圧操作されて下向きに突出する給気口５０ａから空気を吹き出し電気ポットの器体１内に給気し内容液を加圧して吐出させるベローズ５０とを備えた電気ポットの蓋１３の断熱構造であって、図１〜図３に示すようにベローズ５０側周まわりとベローズ５０下の給気口５０ａまわりまたは給気口５０ａおよびそれに続く給気通路５０ｂまわりとに断熱材２０５を設けている。なお、ベローズ５０側周の断熱材２０５とベローズ５０下の給気口５０ａまわりの断熱材２０５とは図２に示すような断面Ｌ型に一体化した環状物で発泡樹脂成形品などを採用し、蓋１３の蓋上部材２０１と蓋下部材２０２が形成するベローズ５０まわりの環状空間を内部配置部材と干渉する部分は除いて充填している。
【００２０】
実際には、ベローズ５０には前記押圧部材２０４がキャップ形状にて被さって、押圧部材２０４の周壁２０４ａが蓋上部材２０１の押圧部材２０４を嵌め合わせた開口２０１ａから下方に延びる周壁２０１ｂに上下動を案内されるようにしており、ベローズ５０の側周まわりの断熱材２０５は前記蓋上部材２０１の周壁２０１ｂの側周まわりに位置し、開口２０１ａから外観されることはないし、押圧部材２０４の上下動およびそれに伴うベローズ５０の蛇腹形状による伸縮を邪魔するようなことはない。また、ベローズ５０は図１〜図３、図５に示すように復元ばね２０６を内蔵しており、押圧部材２０４により押圧操作される都度伸縮して内部空気を給気口５０ａから吹き出して給気し、押圧操作を解除される都度復元ばね２０６によって拡張させられて復元し、その際に上端の吸気口５０ｄから図３に示すように外気２１１を吸入しておく。この外気２１１の吸入は吸気口５０ｄに上方から若干の上下動ができるように嵌め付けた弁杆２１３の上端に一体成形するなどした弁体５０ｅを当てがった弁体５ｅが復元ばね２０６の働きで給気口５０ｄを常開としていることにより可能とし、押圧部材２０４による押圧操作時に復元ばね２０６に抗して弁体５０ｅを吸気口５０ｄに押し付けて吸気口５０ｄを閉じた後、ベローズ５０の収縮が開始することでベローズ５０内に吸入していた外気２１１を図２に示すように給気口５０ａから吹き出させる。従って、押圧部材２０４に対する押圧操作、押圧操作解除の繰り返しにより給気口５０ａを通じ、または、給気口５０ａおよびそれに続く給気通路５０ｂを通じ器体１内に繰り返し給気することができる。しかし、断熱材２０５は場合によりどのように分割して配置してもよい。
【００２１】
なお、押圧部材２０４は図６に示すように、その周壁２０４ａの外周３ヵ所に形成した凸部２０４ｂが、蓋上部材２０１の周壁２０１ｂの内周３ヵ所に形成したΓ形の凹部２０１ｃに係合して上動位置での上方への抜け止めをされて復元ばね２０６によって上動付勢される弁体５０ｅを上方から受け止め、下動時に弁体５０ｅを吸気口５０ｄに押し付けてからベローズ５０を押圧し収縮させていけるようにしている。凹部２０１ｃはΓ型の上端水平凹部２０１ｃ１に凸部２０４ｂが位置する押圧部材２０４の回転位置では下動を阻止し、つまりベローズ５０の押圧操作を阻止し、Γ型の一端に連続する縦向き凹部２０１ｃ２に位置する押圧部材２０４の回転位置では下動を許容し、つまりベローズ５０の押圧操作を許容するようにしている。このため押圧部材２０４の天面の偏心位置には押圧部材２０４を前記２つの位置の間で回転操作するための図２、図６に示すような操作凸部２０４ｃを一体成形している。また、押圧部材２０４の周壁２０４ａには周方向３ヵ所に図６に示すような樹脂ばねとした横向きなどとした係合片２０４ｄが設けられ、押圧部材２０４が押圧操作阻止位置に移動したときに蓋上部材２０１の周壁２０１ｂに形成した図６に示すような係合凹部２０１ｄに弾性係合してその押圧阻止位置に安定させるようにしてある。これにより、押圧部材２０４が幼児の悪戯などで不用意に押圧操作許容位置に移動してしまうようなことが回避できる。
【００２２】
以上のように、蓋１３に内蔵したベローズ５０の側周まわりと、ベローズ下面５０ｃの下向きに突出する給気口５０ａまわりまたは給気口５０ａおよびそれに続く給気通路５０ｂまわりとに断熱材２０５が設けられることで、断熱材２０５の、蓋１３が閉じる器体１の開口１２上方での覆い率、および蓋１３内への充填率ともに特許文献１、２に記載のものよりも高くなる。また、それだけ器体１の上端開口１２を蓋１３が閉じることによる上部への放熱に対する断熱効果が高められる。この結果、蓋１３に内蔵したベローズ５０の側周まわりと、ベローズ下面５０ｃの下向きに突出する給気口５０ａまわりまたは給気口５０ａおよびそれに続く給気通路５０ｂまわりとの断熱材２０５により、断熱材２０５の器体１の開口１２上方覆い率、蓋１３内充填率ともに高く、貯湯を行う器体１上部の断熱効果、保温性能を高められ、省資源、省エネ性に優れたものとなる。
【００２３】
また、ベローズ５０下の給気口５０ａまわりの断熱材２０５は、図１〜図３に示すようにベローズ下面５０ｃと蓋下部材２０２との間に設けられ、給気口５０ａは蓋下部材２０２から内蓋部材２０３に至る給気通路５０ｂを通じ器体１内に給気し、器体１内の蒸気２１２は内蓋部材２０３と蓋下部材２０２との間に広がり蓋１３の器体１後部へのヒンジピン１２０などによるヒンジ連結部側一部で蓋上部材２０１まで立ち上がる蒸気通路１２５を通じ蓋１３の上面へ放出するようにしている。これにより、ベローズ５０下の給気口５０ａまわりの断熱材２０５が、ベローズ下面５０ｃと蓋下部材２０２との間に蓋下部材２０２とその下の内蓋部材２０３との間に形成される蒸気通路１２５から独立し、蒸気通路１２５に対しその立ち上がり部１２５ｅを避けるだけの影響しか受けないで設けられ、蒸気通路１２５は蓋下部材２０２下の断熱材２０５に邪魔されない広いスペースを利用して、器体横転時に蒸気通路に流入する内容液が蒸気通路を通じ外部に流出する時間をかさ高にならずに十分に長くすることができる。この結果、ベローズ５０下の給気口５０ａまわりの断熱材２０５が、蒸気通路１２５から独立し蒸気通路１２５の立ち上がり部１２５ｅを避けるだけの小さな覆い率損にて設けられ、蒸気通路１２５は断熱材２０５に邪魔されない広いスペースにて、器体１横転時に蒸気通路１２５に流入する内容液が蒸気通路１２５を通じ外部に流出するのをかさ高にならずに十分に遅延させられるし、蓋１３を低く保てる。
【００２４】
また、蒸気通路１２５は図３、図４に示すように、蓋下部材２０２と内蓋部材２０３との間で器体１前部の側で器体１内からの流入蒸気２１２を受け入れて器体１後部の立ち上がり部１２５ｅまで左右に振り分け案内する環状迂回通路１２５ｆを少なくとも有したものとしている。これにより、蓋下部材２０２と内蓋部材２０３との間の広いスペースを利用して設けた蒸気通路１２５は、図３、図４に示すように器体１前部の側で器体１内からの流入蒸気２１２を受け入れて器体１後部の立ち上がり部まで左右に振り分け案内する１つの環状迂回通路１２５ｆを少なくとも設けるだけで、器体１横転時に流入する内容液が蒸気通路１２５を通じて外部に流出するまでの時間を十分に遅らせることができるし、その予のスペースを利用して同一平面上に配置した迂回通路や溜まり空間１２５ｈなどと組み合わせることもできる。この結果、蒸気通路１２５が器体１前部の側で器体１内からの流入蒸気２１２を受け入れて器体１後部の立ち上がり部まで左右に振り分け案内する１つの環状迂回通路１２５ｆを少なくとも有して、器体横転時に流入する内容液が蒸気通路１２５を通じて外部に流出するのを十分に遅延させられ、その予のスペースを利用した同一平面上の迂回通路や溜まり空間１２５ｈなどと組み合わせてかさ低いまま遅延効果を高められる。
【００２５】
ここで、給気通路５０ｂと蒸気通路１２５とはベローズ５０の押圧操作と押圧操作解除とに連動して器体１内に切り換え通じるようにする。これにより、給気通路５０ｂ、蒸気通路１２５は異時に器体１内に通じて機能することに伴い、ベローズ５０の押圧操作と押圧操作解除とに連動して器体１内に切り換え通じることで、ベローズ５０の押圧操作による外気２１１を吹き出しての給気を蒸気通路１２５に逃がさず内容液を加圧して吐出させ、ベローズ５０の押圧操作時以外では器体１内の蒸気２１２を給気口側に入り込むようなことなく蒸気通路にのみ流入させて外部へ放出させられる。このような具体的な切り換えは、図２、図３に示すように、給気通路５０ｂを弾性部材により形成して給気口５０ａの下端に接続して設け、給気通路５０ｂの下部側を蓋下部材２０２の開口２０２ｆに上方から嵌め合せて、着脱および内蓋部材２０３側への伸縮ができる絞り口５０ｂ２を下端に持つようにし、ベローズ５０の押圧操作と押圧操作解除とに連動して上下動する弁杆２１３の下端部２１３ａにて、給気通路５０ｂ下端の絞り口５０ｂ２を内蓋部材２０３の給気通路５０ｂおよび蒸気通路１２５の双方に通じた通気孔２１４に対して図２に示す接続状態、図３に示す接続解除状態とし、かつ、弁杆２１３の途中に設けた開閉弁２１３ｂにて前記接続、接続解除に連動して給気口５０ａを開閉することで行う。これにより、ベローズ５０の押圧操作に連動する１つの弁杆２１３の動作で、ベローズ５０の給気口５０ａに続く弾性部材よりなる給気通路５０ｂを蓋下部材２０２と内蓋部材２０３の間で伸縮させて、内蓋部材２０３の給気通路５０ｂおよび蒸気通路１２５に通じる通気孔２１４に対し、接続と接続解除との切り換えを行い、同時に弁杆２１３途中の開閉弁２１３ｂにて給気口５０ａの開閉切り換えを行うことで、特別な弁室や隔壁なしに前記必要な切換えが行える。この結果、ベローズ５０の押圧操作に連動する１つの弁杆２１３の動作で、給気口５０ａに続く給気通路５０ｂを内蓋部材２０３の給気通路５０ｂおよび蒸気通路１２５に通じる通気孔２１４に対し、接続と接続解除との切り換えを行い、同時に弁杆２１３途中の開閉弁２１３ｂにて給気口５０ａの開閉切り換えを行うことで、特別な弁室や隔壁のない簡単かつかさ低い構造にて前記切換えが行える。なお、弁杆２１３はばね２１６で伸長方向に付勢した伸縮構造を付与してベローズ５０の押圧操作、押圧操作解除に連動した上下動をしながら、ベローズ５０との干渉分をばね２１６に抗した収縮によって吸収できるようにしている。
【００２６】
蒸気通路１２５の立ち上がり部１２５ｅは蓋１３の後部に位置して蓋１３上面の蒸気放出口１２５ｇに通じているが、その直ぐ下に逆止弁２１５を設けて器体１横転時に内容液が外部に流出するのを極力防止できるようにしている。この逆止弁２１５は蓋１３を開いて後傾したときも蒸気放出口１２５ｇの直ぐ内側で閉じるので、蓋１３の前記後傾によって蒸気通路１２５の立ち上がり部１２５ｅに結露していた結露水が流れ出ようとしても逆止弁２１５から蒸気放出口１２５ｇ側の微小範囲の結露水しか対象とならないし、微量であるので流れ出るのを防止しやすい。また、この位置の逆止弁２１５は、真空二重容器３などの内容器の口部３ａが図１、図３に示す例の真空二重容器３の胴部３ｂと同径な広口タイプのものに対してはもとより、図７に示す例の真空二重容器３の胴部３ｂの内径よりも小さく絞った狭口タイプのものに対しても邪魔にならずに設けられる利点がある。そこで、逆止弁２１５を持った立ち上がり部１２５ｅを蓋上部材２０１と蓋下部材２０２とに接続する独立部材としておけば、広口タイプと狭口タイプとに共用できる部品となる。なお、蓋１３の断熱材２０５は、真空二重容器３の口部３ａの図１、図７に示すような大小にかかわりなく、真空二重容器３の胴部３ｂのほぼ外形近くまで及ぶように設けてあり、器体１の上部の断熱性を高めている。
【００２７】
以上の構成によってベローズ５０は図５、図６に示すように、上端の弁体５０ｅから下端の給気通路５０ｂまでの全体を独立した部品として製作することができ、蓋の生産コストが低減する。また、蓋１３に対して単体で着脱できるので破損時のメンテナンスなどに便利である。
【００２８】
器体１は図１に示すようにステンレス鋼製の真空二重容器３を貯湯用の内容器として外装ケース２に収容した断熱構造としてあるが、これに限られることはなく、他の断熱構造としてもよい。本例では真空二重容器３の断熱空間６３に銅箔６４を設けるとともに、真空二重容器３の外まわりに断熱材２０５を配置して更に断熱効果の高いものとし、上記のような断熱構造を持った蓋１３との組合せにより保温性が格段に高い電気ポットを形成している。また、真空二重容器３の一重底部３ｃにヒータ１１を当てがって断熱構造の影響なく効率良く内容液を加熱できるようにするとともに、一重底部３ｃに内容液を器体１外に吐出する吐出路２５が接続され、この吐出路２５は真空二重容器３と外装ケース２との間を立ち上がり、器体１の前部に吐出口２５ｄが臨んでいる。吐出路２５の途中には電動ポンプ２６が設けられ、内容液を電動にて吐出できるようにしている。これに併せ、前記手動のベローズ５０が押圧操作されて、器体１内、具体的には真空二重容器３内に給気したとき内容液を加圧し、吐出路２５を通じて外部に押し出し吐出させるようにしている。
【００２９】
ここに、ベローズ５０は蓋１３での断熱に寄与するのに併せ、電源が接続されていない状態、または電源のない場所での保温性だけによる貯湯状態にて内容液を手動にて吐出し使用できる利便をユーザにもたらす。このような加圧吐出および保温や蒸気２１２の不用意な吹き出しの防止などのために、蓋１３の蓋下部材２０２と内蓋部材２０３との間に挟んで装着しそれらの間をシールするシール部材６５を真空二重容器３の口部３ａに圧接して蓋１３との間をシールするようにしている。さらに、器体１の後部にヒンジ連結される蓋１３の前部には閉じ位置で肩部材６側の係止部１９に係合して蓋１３を閉じ位置にロックするロック部材２１が設けられ、蓋１３が閉じられたときに係止部１９に自動的に係合するようにばね２２の付勢によってロック位置に常時突出するようにし、このロック機構によって蓋１３の閉じ状態が不用意に緩むようなことがないようにしている。これに対応して蓋１３にはロック部材２１を後退操作して前記ロックを解除するロック解除部材２３が設けられている。ロック解除部材２３は図１に示すように軸２４によって蓋１３に枢支されたレバータイプのものとされ、前端２３ａを親指などで押し下げて反時計回りに回動させることでロック部材２１をばね２２に抗して後退させてロックを解除し、続いてロック解除操作で起き上がった後端２３ｂを他の指で引き上げることによりロックを解除された蓋１３を持ち上げこれを開くことができる。
【００３０】
電動ポンプ２６は遠心ポンプであって真空二重容器３の直ぐ下の位置に設けられ、真空二重容器３内から流れ込む内容液を吐出路２５を通じて器体１外に臨む吐出口２５ｄに向け送りだし、吐出口２５ｄから外部に吐出させ使用に供する。
【００３１】
なお、図示していないが、外装ケース２の底部と真空二重容器３の底部との間の空間、あるいは外装ケース２の胴部２ａと真空二重容器３の胴部３ｂとの間に、前記電動ポンプ２６とともにヒータ１１を通電制御する制御基板を収容する一方、真空二重容器３の一重の底部３ｃの中央には温度センサが下方から当てがわれ、内容液のその時々の温度を検出して、湯沸しや保温モードで内容液を加熱制御する場合の温度情報を得るようにしている。
【００３２】
器体１の肩部材６の前部には嘴状に張り出す張り出し部３１が形成され、この張り出し部３１の上面は操作面３０とされ、吐出操作部材やモード設定などのための他の操作部、各種操作に対応するランプ表示、あるいは選択状態や動作状態を示す液晶表示部を設けてある。張り出し部３１の操作面３０の下方、つまり内側には前記操作および表示に対応する信号の授受および動作を行う操作基板３３が設けられて必要なスイッチ、表示部を装備し、操作面３０と協働して外部からの操作や外部への表示が行えるようにする。吐出路２５の上部は器体１の張り出し部３１と外装ケース２側のパイプカバー部２ｄとの間に入った部分で逆Ｕ字状のユニット２５ｃを構成し、このユニット２５ｃに転倒時止水弁１３４ａおよび前傾時止水弁１３４ｂと吐出口２５ｄを設けている。吐出口２５ｄはパイプカバー部２ｄを通じて下向きに外部に開口している。
【００３３】
外装ケース２の底部材１１１の下向きの凹部１１１ａ内には下方から回転座環３７が回転できるように嵌め合せて設けられ、器体１がテーブル面などに定置されたときに回転座環３７の上で軽く回転して向きを変えられるようにしてある。
【産業上の利用可能性】
【００３４】
本発明は家庭用の電気ポットに実用して、断熱材の器体開口上方での覆い率、蓋内への充填率が高く電気貯湯容器の保温性を高められるものとする。
【図面の簡単な説明】
【００３５】
【図１】本発明に係る電気貯湯容器の断面図である。
【図２】図１の電気貯湯容器の上部を向きを変えて断面して見た断面図である。
【図３】図１と同じ向きでの上部の断面図である。
【図４】図１の電気貯湯容器の蓋の蓋下部材と内蓋部材の間の蒸気通路の内部下面図である。
【図５】図１の電気貯湯容器の蓋に内蔵しているベローズの断面図である。
【図６】図１の電気貯湯容器の上部を分解した斜視図である。
【図７】本発明に係る電気貯湯容器の今１つの例を示す上部の断面図である。
【符号の説明】
【００３６】
１ 器体
３  真空二重容器
１１ ヒータ
１２ 開口
１３ 蓋
２５  吐出路
２５ｄ  吐出口
２６  電動ポンプ
５０  ベローズ
５０ａ  給気口
５０ｂ  給気通路
５０ｃ  ベローズ下面
１２０  ヒンジピン
１２５  蒸気通路
１２５ｅ  立ち上がり部
１２５ｆ  環状迂回通路
１２５ｇ  蒸気放出口
２０１  蓋上部材
２０２  蓋下部材
２０３  内蓋部材
２０４  押圧部材
２０５  断熱材
２１１  外気
２１２  蒸気
２１３  弁杆
２１３ｂ  開閉弁
２１４  通気孔
【図１】
2007275165.tif 000003
【図２】
2007275165.tif 000004
【図３】
2007275165.tif 000005
【図４】
2007275165.tif 000006
【図５】
2007275165.tif 000007
【図６】
2007275165.tif 000008
【図７】
2007275165.tif 000009